(57)【要約】
　【課題】　矯正のための専用時間を確保する必要性を少なくし、矯正する鼻のサイズや形状を問わない簡単かつ安価な構造にすると共に簡単に使用できるようにする。
　【解決手段】　一対の挟持部材２の先端に球形のシリコンゴムからなる突起部３を着脱可能に設ける。突起部３を鼻の両穴に挿入し、鼻の内部仕切り部を挟持しつつ鼻の角度に沿って引き下げつつ摺動または一定時間保持して使用する。機会がある毎にこの動作を行うことによって、鼻の軟骨に矯正力を与えるだけでなく、この軟骨の成長を促進させることができる。
【選択図】　　　　図１
0003100123.tif 000002
【実用新案登録請求の範囲】
【請求項１】
　一対の挟持部材を有し、
　上記一対の挟持部材の先端には、それぞれ内側に向かって対向する弾性体からなる突起部を備え、
　上記一対の挟持部材の他端には、握り部を備え、
　上記一対の挟持部材の先端をそれぞれ左右の鼻穴に挿入して、鼻の内部仕切り部を挟持しつつ摺動または引っ張るようにして使用する
　ことを特徴とする鼻矯正用器具。
【請求項２】
　請求項１において、上記突起部は、ゴム硬度３０度に相当する硬度を超えないものであることを特徴とする鼻矯正用器具。
【請求項３】
　請求項１〜２のいずれかにおいて、上記突起部は、球状形状であることを特徴とする鼻矯正用器具。
【請求項４】
　請求項１〜３のいずれかの１において、上記突起部は、シリコンゴムであることを特徴とする鼻矯正用器具。
【請求項５】
　請求項１〜４のいずれかの１において、上記突起部は、上記一対の挟持部材の先端に着脱可能であることを特徴とする鼻矯正用器具。
【請求項６】
　請求項１〜５のいずれかの１において、上記突起部は、ゲルマニウムを含有していることを特徴とする鼻矯正用器具。
【請求項７】
　請求項１〜６のいずれかの１において、上記突起部は、磁気を帯びていることを特徴とする鼻矯正用器具。
【請求項８】
　請求項１〜７のいずれかの１において、上記一対の挟持部材には、リング部材が挿着してあり、
　上記リング部材の内側には、仕切り部が設けてあり、
　上記リング部材は、一対の上記突起部を所定の間隔以上に開かないようにすると共に、上記仕切り部によってこの一対の突起部を所定の間隔以下に閉じないようにするものである
　ことを特徴とする鼻矯正用器具。
【請求項９】
　請求項８において、上記一対の挟持部材は、交差角度をもって互いに対向する部分を有し、
　上記リング部材は、上記交差角度をもって互いに対向する部分に挿着され、
　上記リング部材を上記一対の挟持部材の中心軸に沿ってスライドすることによって、一対の上記突起部の所定の間隔を変更することができる
　ことを特徴とする鼻矯正用器具。
【考案の詳細な説明】
【技術分野】
【０００１】
　本考案は鼻を高くする等、鼻形状の矯正及び美容のための鼻矯正用器具に関する。
【背景技術】
【０００２】
　従来から多くの者が鼻筋の通った顔立ちに憧れ、そのため鼻形状の矯正手段が数多く提案されている。この従来の技術としては、例えば薄板で形成した鼻筋矯正具を鼻の外面等に接着保持して、鼻の形を矯正する手段（例えば、特許文献１。）、鼻穴に一対の隆鼻杆を挿入し、その先端に設けた隆起係合部を梃子のようにして持上げたまま保持して、隆鼻矯正する手段（例えば、特許文献２。）、あるいは鼻の両側を一対の挟持片で押圧保持して、鼻の形を矯正する手段（例えば特許文献３。）がある。
【特許文献１】特開２００２‐３４５８７０号公報（第１−５頁、第３図）
【特許文献２】特開平１０‐５２６０号公報（第１−３頁、第４図）
【特許文献３】特開平８‐１５４９５８号公報（第１−４頁、第４図）
【考案の開示】
【考案が解決しようとする課題】
【０００３】
　しかし従来の手段は、いずれもある時間に亘って矯正具を鼻に固定保持する必要があり、矯正のための専用時間を継続的に確保しなければならず、他の生活時間を犠牲にしなければならないという問題があった。また矯正する鼻のサイズや形状に適合するように、複数の矯正具を準備したり、あるいは形状の調整等が必要であった。さらにこれらの矯正具は、鼻に合わせて三次元的形状に製作する必要があるため、複雑な形状となって製作コストが嵩むと共に、使用に際して装着に手間取るという問題があった。
【０００４】
　そこで本考案の目的は、矯正のための専用時間を確保する必要性が少なく、矯正する鼻のサイズや形状を問わない簡単な構造であって、かつ簡単に使用できる安価な鼻矯正用器具を提供することにある。
【課題を解決するための手段】
【０００５】
　本考案による鼻矯正用器具の特徴は、一対の挟持部材を有し、この一対の挟持部材の先端には、それぞれ内側に向かって対向する弾性体からなる突起部を備え、この一対の挟持部材の他端には、握り部を備え、この一対の挟持部材の先端をそれぞれ左右の鼻穴に挿入して、鼻の内部仕切り部を挟持しつつ摺動または引っ張るようにして使用することにある。上記突起部は、ゴム硬度３０度に相当する硬度を超えないものであることが望ましい。また上記突起部は、球状形状であることが望ましく、さらにこの突起部は、シリコンゴムであることが望ましい。
【０００６】
　本考案による鼻矯正用器具の次の特徴は、上述した突起部は、上記一対の挟持部材の先端に着脱可能であることにある。また上述した突起部は、少なくともゲルマニウムを含有または磁気を帯びていることのいずれかであることが望ましい。なおゲルマニウムは、その成分を突起部に混入する場合のほか、成分を突起部に塗布してもよい。また磁気を帯びるようにする手段は、突起部を永久磁石で作成してその外表面を弾性体で覆うようにする他、永久磁石の小片を弾性体に混在させてもよい。
【０００７】
　本考案による鼻矯正用器具のさらなる特徴は、上述した一対の挟持部材には、リング部材が挿着され、このリング部材の内側には、仕切り部が設けてあって、このリング部材は、一対の上記突起部を所定の間隔以上に開かないようにすると共に、上記仕切り部によってこの一対の突起部を所定の間隔以下に閉じないようにするものであることにある。また上記一対の挟持部材は、交差角度をもって互いに対向する部分を有し、上記リング部材は、この交差角度をもって互いに対向する部分に挿着され、このリング部材をこの挟持部材の中心軸に沿ってスライドすることによって、一対の上記突起部の所定の間隔を変更することができることが望ましい。
【考案の効果】
【０００８】
　このように考案を構成すると、次の作用効果を得ることができる。すなわち上述した従来の矯正具等が広く使用されているように、従来から鼻の形状を形造る軟骨に継続的に強制力を加えると、鼻の形状を矯正することができるという事実が良く知られている。これは、鼻の軟骨に強制力を加えると容易に変形するため、継続的に強制力を加えると、いわゆる変形の癖がつくこと、また軟骨の圧迫された部分の細胞は吸収消滅する一方、引っ張られた部分は、新しい細胞の再生増殖が進むためと考えられている。
【０００９】
　また鼻の軟骨は、生涯成長し続けるという学説があり、一般的に欧米人の鼻が高く、鼻柱（鼻中枢）が前面に引き伸ばされた形状をしているのは、鼻の両穴を隔てる内部仕切り部を構成する軟骨の成長が持続するからであって、一方一般的に日本人の鼻が低いのは、この軟骨の成長率が早期に低下してしまうからであると考えられている。
【００１０】
　したがって、本考案による鼻矯正用器具を使用して、鼻の両穴を隔てる内部仕切り部を構成する軟骨に継続的に引張り力を加えることによって、鼻の形状を矯正できるだけでなく、さらに突起部による摺動動作等によって、軟骨を伸縮運動させて軟骨への栄養補給を増強し、これによる軟骨の成長を促進して、隆鼻および美容効果が期待できる。また本考案による鼻矯正用器具は、弾性体からなる先端部を鼻の両穴に挿入して、鼻の両穴を隔てる内部仕切り部を挟持して鼻の角度にそって引き下げるように摺動ないしは一定時間保持する動作で足りるため、装着および使用方法が極めて簡単になる。このため、矯正のための専用時間を特別に確保する必要がなく、短時間でも時間が空いた機会をとらえて、その都度使用することが可能になる。
【００１１】
　また一種類の形状を作成すれば、鼻の形状が異なっても使用できるため、構造の簡単さも相俟って、極めて低コストで大量生産することができる。
【００１２】
　また突起部を構成する弾性体の硬度を、ゴム硬度３０度に相当する値を超えないように調整することによって、鼻の両穴を隔てる内部仕切り部を挟持する場合に、この内部仕切り部への当たりを確実に和らげて、痛みが生じるのを防止することができる。さらに突起部を球状形状にすることによって、鼻の穴の内部壁面にどのような角度で接触しても、滑らかにフィットして、粘膜等を傷つける恐れを防止することができる。また突起部の硬度を、ゴム硬度１０度程度に柔らかくすると、鼻の内部仕切り部を挟持したときには、弾性体は原型を留めていないほど弾性変形し、この挟持部分の表面形状に沿って、より十分フィットさせることができるが、この場合には、突起部を球状形状にすることによって、弾性体のサイズを最小限にしつつ、かつ弾性変形後の鼻の内部仕切り部に対する肉厚を十分確保して、当たりをソフトにすることが可能になる。
【００１３】
　さらに突起部にシリコンゴムを使用することによって、弾性体材料の入手や加工が容易となり、かつ人体への影響を少なくすることができる。また鼻矯正用器具は、使用につれて先端の弾性部材が汚れたり変形等したりするため、衛生上あるいは機能上適時交換する必要がある。したがって本考案のように、直接鼻の内部に接触する突起部だけを交換できれば、鼻矯正用器具自体を取替えることなく長期に亘って使用することができるため、経済的になる。またゲルマニウムおよび磁気は、血行を促進するものとして広く使用されており、これらの成分を突起部に含有させることによって、鼻の両穴を隔てる内部仕切り部を構成する軟骨の成長を、より促進させることが期待される。
【００１４】
　またリング部材によって、一対の突起部を所定の間隔以上に開かないようにすると共に、この一対の突起部を所定の間隔以下に閉じないようにすることによって、次の作用効果を得ることができる。第１に、リング部材によって一対の挟持部材の開度、すなわち一対の上記突起部の間隔を、予め鼻の両穴間隔に合わせることができるので、この突起部を鼻穴に挿入する度に間隔を加減する手間をかけずに、この一対の突起部を容易に鼻の両穴に挿入することができる。第２に、鼻の内部仕切り部を挟持するためには、一対の挟持部材を親指とひとさし指等で押圧して、一対の突起部の間隔を狭める動作を行うが、この場合不用意に強く挟み過ぎると、思わず痛みを生じたり、あるいはそれ以降の摺動や引張り動作の時に粘膜等を損傷し易くなる。
【００１５】
　しかるに本考案のように、リング部材の内側に設けた仕切り部によって、一対の突起部を所定の間隔以下に閉じないようしてあると、不用意に過大な挟持力を加えてしまうことを確実に防止することができると共に、一対の挟持部材の内側面を仕切り部に当接するように把持すれば、容易に一定の挟持力を保つことができる。第３に、リング部材の内側に仕切り部を設けることによって、リング部材が握り部から抜け落ちることを防止できるので、抜け落ち防止のために、特別な手段を別途設ける必要がなくなる。
【００１６】
　またリング部材をスライドするだけで、一対の突起部の間隔を変更することができれば、個人差による鼻の内部仕切り部の厚さの相違に合わせて、突起部の開き間隔を予め容易に調整することができる。あるいは一対の挟持部材の内側面を仕切り部に当接するように把持したときの、鼻の内部仕切り部への挟持力を、予め容易に調整することができる。
【考案を実施するための最良の形態】
【００１７】
　図１〜図３を参照しつつ、本考案による鼻矯正用器具の構成を説明する。すなわち鼻矯正用器具１は、ステンレス製の薄板からなる一対の挟持部材２，２を、握り部４側の端部４ａで接合して、この握り部から先端に向かって開くように形成したピンセットの形状をしており、やや屈曲した先端部には、それぞれ球形の突起部３が設けてある。なお一対の挟持部材２，２は、握り部４側の端部４ａを屈曲させて一体的に成形しても良く、またこの一対の挟持部材を適当に弾性を有する合成樹脂材で製作することもできる。さらに一対の挟持部材の先端部を屈曲させることなく真っ直ぐに形成してもよい。
【００１８】
　一対の挟持部材２，２の長手方向のほぼ中央には、ステンレス部材からなるリング部材５が挿着されており、一対の突起部３，３のそれぞれ対向する間隔を、鼻の両穴に挿入容易な幅に予め設定できるようにしている。また図３に示すように、突起部３は、矩形断面の支柱部３ａの先端に、球形部３ｂを一体的に成形したシリコンゴムからなり、この支柱部と球形部との内部には、開口穴３ｃが設けてある。そして突起部３は、開口穴３ｃを挟持部材２の先端に設けた細長形状のピン部分２ａに挿入することによって、この挟持部材に着脱可能に取付けられる。なおピン部分２ａの表面には、係止溝が刻んであって、突起部３が容易に抜け落ちないようにしてある。
【００１９】
　突起部３を形成するシリコンゴムには、ゲルマニウム成分と永久磁石の小片とが適当量混入してある。
【００２０】
　図４にリング部材５の断面形状（Ａ）と側面形状（Ｂ）とを示す。なおリング部材５は、上述したようにステンレス製であるが、合成樹脂で成形してもよい。リング部材５は、台形断面形状であって、内部に傾斜した一対の挟持部材２，２をそれぞれ挿着する開口穴５ｂが設けてあり、この開口穴の中間部が、仕切り部５ａを形成している。なお、リング部材５の断面形状（Ａ）を矩形形状にして、かつ開口穴５ｂをそれぞれ互いに並行な矩形断面形状に形成して、製造コストを削減することもできる。
【００２１】
　次に図１と図４とを参照しつつ、リング部材５の作用効果について説明する。図１に示すように一対の挟持部材２，２は、握り部４から先端に向かって横Ｖ字型に開いており、突起部３を先端に装着する前に、リング部材５を、その開口穴５ｂにこの一対の挟持部材をそれぞれ挿入して挿着する。したがって一対の挟持部材２，２の外側面が、リング部材５に当接して、それ以上この一対の挟持部材の間隔が広くならないようしている。また図４に示すように、リング部材５の開口穴５ｂの中間は、仕切り部５ａになっており、一対の挟持部材２，２を指で握って押圧した時に、この挟持部材の内側面が、この仕切り部に当接して、それ以上この一対の挟持部材の間隔が狭くならないようにしている。
【００２２】
　そしてリング部材５を、図１において水平方向に移動することによって、一対の挟持部材２，２の間隔、すなわちその先端に装着した一対の突起部３，３の開き間隔や、閉じ間隔を予め調整することができる。これにより、鼻の内部仕切り部厚さの個人差に合わせて、一対の突起部３，３の開き間隔を適切な値に設定したり、この一対の挟持部材２，２の内側面が仕切り部５ａに当接したときの挟持力を適切な値に設定したりすることが容易にできる。またリング部材５は、握り部４を握ったままで、親指とひとさし指等とで容易にスライドさせることができるので、使用に際して、一対の突起部３，３の開き間隔または閉じ間隔を直ちに調整することができる。なおリング部材５の仕切り部５ａは、一対の挟持部材２，２の横Ｖ字型の付け根部分に拘束されるため、握り部４から不用意に抜け落ちて損失してしまうこと等を防止することができる。
【００２３】
　次に図５を参照しつつ、本考案による鼻矯正用器具１の使用について説明する。すなわち鼻矯正用器具１の突起部３，３を、それぞれ鼻の両穴に挿入し、握り部４を握ったまま親指とひとさし指等とで挟持部材を押圧し、鼻の内部仕切り部を挟持する。そして握り部４を、鼻の角度方向に沿って引き下げつつ、この鼻の内部仕切り部を摺動あるいは一定時間保持する動作を繰り返す。なお鼻矯正用器具１は、小型軽量であるために常時携帯することが容易であり、例えば何らかの待ち時間、あるいは読書中やテレビを見ながら、機会がある毎に上述した矯正動作を適宜行うことができる。
【００２４】
　なお突起部３の形状は、球形に限らず、表面が滑らかな曲線であれば、その他の例えば楕円形状であってもよい。また一対の挟持部材２，２は、上述したようなピンセット型に構成する場合に限らず、中間支点で回転自在に交叉させて、鋏のような形状に構成してもよい。
【００２５】
　また本考案に係る鼻矯正用器具１は、図６に示すように、いわゆる団子鼻の先端を尖らせる矯正に使用することもできる。すなわち握り部４には、貫通長穴４ｂを開けておき、この貫通長穴に紐やゴム等からなるヘッドバンド６を通して、鼻矯正用器具１を額に取付ける。なおヘッドバンド６には、長さ調節金具６ａが設けてあり、この長さ調節金具によって鼻矯正用器具１の額に対する保持力を調整する。そしてリング部材５をスライドさせて一対の突起部３，３の間隔または挟持力を調整し、鼻の先端を挟持して一定時間保持させる。なおこのような使用を可能にするためには、図示してあるように挟持部材２の先端部分は、真っ直ぐではなく、わずかに屈曲させて形成した方が使用しやすい。また挟持部材２の先端部分を別部品として製作し、ネジ等を回転軸として連結することによって、この先端部分の屈曲角度を可変にするよう構成することもできる。
【００２６】
　したがってこのような簡易な手段によって、鼻矯正用器具１を容易に取付けることができると共に、鼻を挟んだ状態からずれ落ちないように保持することができる。またリング部材５をスライドさせるだけで挟持力を容易かつ無段階で調整することができる。さらに矯正シールを貼る従来の手段のように痒みや剥がす時の痛みも生じない。
【産業上の利用可能性】
【００２７】
　本考案による鼻矯正用器具は、鼻の両穴を隔てる内部仕切り部を挟持して鼻の角度に沿って引き下げるように摺動または一定時間保持する動作を繰り返すだけで足りるため、極めて簡単に装着および使用できる。また一種類の形状を作成すれば、鼻の形状が異なっても使用できるため、構造の簡単さも相俟って、鼻の矯正や美容を目的とする器具として低コストで大量生産することができる。
【図面の簡単な説明】
【００２８】
【図１】鼻矯正用器具の上面図である。
【図２】鼻矯正用器具の正面図である。
【図３】突起部の拡大上面図と正面図とである。
【図４】リング部材の拡大断面図及び側面図である
【図５】鼻矯正用器具の使用の説明図である。
【図６】鼻矯正用器具の他の使用の説明図である。
【符号の説明】
【００２９】
　　　　１　　鼻矯正用器具
　　　　２　　挟持部材
　　　　３　　突起部
　　　　４　　握り部
　　　　５　　リング部材
　　　　５ａ　仕切り部
　　　　４ｂ　貫通長穴
　　　　６　　ヘッドバンド
【図１】
0003100123.tif 000003
【図２】
0003100123.tif 000004
【図３】
0003100123.tif 000005
【図４】
0003100123.tif 000006
【図５】
0003100123.tif 000007
【図６】
0003100123.tif 000008